(57)【特許請求の範囲】
【請求項１】
見掛けを形成する第１ボディーと、
前記第１ボディーに回転可能に結合され、見掛けを形成する第２ボディーと、
前記第１ボディーと前記第２ボディーとを回転可能に結合する結合部と、を含み、
前記結合部は、
前記第１ボディーに固定結合されるヒンジハウジングと、
前記第２ボディーに固定結合されるヘッドアウターと、
前記ヒンジハウジングと前記ヘッドアウターとの間に備えられるヘッドインナーと、
前記ヒンジハウジングに収容され、前記ヘッドインナーと接触するカムと、
前記ヒンジハウジングの内部に備えられ、前記カムに弾性力を提供する弾性スプリングと、
を含み、
前記ヘッドアウターは内側に前記ヘッドインナーが収容される挿入ホールが形成され、
前記ヘッドインナーは、前記ヘッドアウターより直径が小さく、前記ヘッドアウターとの間にギャップを有するよう収容され、
前記ヘッドインナーは、一側に山形に突出して形成されたヘッドインナー突出部と、谷型に凹まれて形成されたヘッドインナー陥没部とが形成され、
前記カムは、前記ヘッドインナー突出部に対応する谷型のカム陥没部と前記ヘッドインナー陥没部に対応する山形のカム突出部が形成され、
前記ヘッドアウターが回転すると、前記ヘッドインナーの１つの角とその対角にある角が前記ヘッドアウターの内壁に接触することにより、前記ヘッドインナーが回転し、
前記ヘッドインナーの回転により、前記ヘッドインナー突出部は、前記カム陥没部から前記カム突出部までの傾斜を滑動し、これにより、前記カムは前記ヒンジハウジングの内側を直線往動し、前記弾性スプリングは、前記ヘッドアウターと前記ヘッドインナーとの間に摩擦力を提供し、
前記ヘッドアウターが更に回転すると、前記ヘッドインナー突出部は、前記カム突出部から前記カム陥没部と対向する側のカム陥没部までの傾斜を瞬時的に滑動し、前記弾性スプリングにより生成された前記ヘッドアウターと前記ヘッドインナーとの間の摩擦力が消失することにより、前記ヘッドインナーが前記ヘッドアウターの前記挿入ホール内を回転して、前記ヘッドインナーの前記１つの角と異なる角とその対角にある角が、前記ヘッドアウターの内壁に衝突して衝突音を発生させることを特徴とする移動端末機。
【請求項２】
第１ボディー及び第２ボディーとが回転可能に結合するヒンジ装置であって、
前記第１ボディーに固定結合されるヒンジハウジングと、
前記第２ボディーに固定結合されるヘッドアウターと、
前記ヒンジハウジングと前記ヘッドアウターとの間に備えられるヘッドインナーと、
前記ヒンジハウジングに収容され、前記ヘッドインナーと接触するカムと、
前記ヒンジハウジングの内部に備えられ、前記カムに弾性力を提供する弾性スプリングと、
を含み、
前記ヘッドアウターは内側に前記ヘッドインナーが収容される挿入ホールが形成され、
前記ヘッドインナーは、前記ヘッドアウターより直径が小さく、前記ヘッドアウターとの間にギャップを有するよう収容され、
前記ヘッドインナーは、一側に山形に突出して形成されたヘッドインナー突出部と、谷型に凹まれて形成されたヘッドインナー陥没部とが形成され、
前記カムは、前記ヘッドインナー突出部に対応する谷型のカム陥没部と前記ヘッドインナー陥没部に対応する山形のカム突出部が形成され、
前記ヘッドアウターが回転すると、前記ヘッドインナーの１つの角とその対角にある角が前記ヘッドアウターの内壁に接触することにより、前記ヘッドインナーが回転し、
前記ヘッドインナーの回転により、前記ヘッドインナー突出部は、前記カム陥没部から前記カム突出部までの傾斜を滑動し、これにより、前記カムは前記ヒンジハウジングの内側を直線往動し、前記弾性スプリングは、前記ヘッドアウターと前記ヘッドインナーとの間に摩擦力を提供し、
前記ヘッドアウターが更に回転すると、前記ヘッドインナー突出部は、前記カム突出部から前記カム陥没部と対向する側のカム陥没部までの傾斜を瞬時的に滑動し、前記弾性スプリングにより生成された前記ヘッドアウターと前記ヘッドインナーとの間の摩擦力が消失することにより、前記ヘッドインナーが前記ヘッドアウターの前記挿入ホール内を回転して、前記ヘッドインナーの前記１つの角と異なる角とその対角にある角が、前記ヘッドアウターの内壁に衝突して衝突音を発生させることを特徴とするヒンジ装置。
【発明の詳細な説明】
【技術分野】
【０００１】
本発明は、ヒンジ装置及びこれを含む移動端末機に関し、より詳しくは、フォールディング時の衝突音不均一現象及び遊動不良を改善したヒンジ装置及びこれを含む移動端末機に関する。
【背景技術】
【０００２】
移動端末機は携帯が可能で、かつ音声及び画像通話を遂行できる機能、情報を入・出力できる機能、及びデータを格納できる機能などを１つ以上備えた携帯用機器である。このような移動端末機は、その機能が多様化されるにつれて、写真や動画の撮影、音楽ファイルや動画ファイルの再生、ゲーム、放送の受信、無線インターネットのような複雑な機能を備えるようになったし、総合的なマルチメディア機器（Multimedia player）形態で具現されている。
【０００３】
また、移動端末機は自身の個性を表現するための個人携帯品と見なされるにつれて、多様なデザインが要求されており、このようなデザインの一例として、バータイプ、スライドタイプ、フォルダータイプ、スイベルタイプなどの構造が挙げられる。このような多様なデザインと構造具現の困難性が増大している。
【０００４】
従来のフォルダータイプの移動端末機は、開けて閉じるフォールディング（folding）時にフォルダー部の衝突音が不均衡であって、ユーザが衝突音を聞くことができない場合があった。この場合、ユーザは移動端末機が完全にフォールディングされていない感じを受けて移動端末機のフォールディング構造の改善が必要であった。
【０００５】
また、移動端末機が完全に開いたり閉じた状態でない、所定の角度を有する自由停止区間で移動端末機に備えられたヒンジ構造の遊動が発生する問題があった。
【発明の概要】
【発明が解決しようとする課題】
【０００６】
本発明の目的は、フォールディング時に衝突音不均一現象及び遊動不良を改善したヒンジ装置及びこれを含む移動端末機を提供することにある。
【課題を解決するための手段】
【０００７】
上記の課題を達成するために、本発明は、見掛けを形成する第１ボディーと、上記第１ボディーに回転可能に結合され、見掛けを形成する第２ボディーと、上記第１ボディーと上記第２ボディーとを回転可能に結合する結合部を含み、上記結合部は、上記第１ボディーに固定結合されるヒンジハウジングと、上記第２ボディーに固定結合されるヘッドアウターと、上記ヒンジハウジングと上記ヘッドアウターとの間に備えられて回転時に衝突音を発生するヘッドインナーと、上記ヒンジハウジングに収容され、上記ヘッドインナーと接触するカムと、上記ヒンジハウジングの内部に備えられ、上記カムに弾性力を提供する弾性スプリングと、を含む移動端末機を提供する。
【０００８】
上記の課題を達成するために、本発明は、第１ボディーと第２ボディーとが回転可能に結合するヒンジ装置であって、上記第１ボディーに固定結合されるヒンジハウジングと、上記第２ボディーに固定結合されるヘッドアウターと、上記ヒンジハウジングと上記ヘッドアウターとの間に備えられて、回転時に衝突音を発生するヘッドインナーと、上記ヒンジハウジングに収容され、上記ヘッドインナーと接触するカムと、上記ヒンジハウジングの内部に備えられ、上記カムに弾性力を提供する弾性スプリングと、を含むヒンジ装置を提供する。
【発明の効果】
【０００９】
本発明のヒンジ装置及びこれを含む移動端末機によれば、次のような効果が１つあるいはその以上ある。
【００１０】
第１に、フォールディング時、衝突音の不均一現象が改善されて、ユーザが移動端末機を開いたり閉じる場合に正確な衝突音を聞くことができる。
【００１１】
第２に、自由停止区間で遊動が発生しない効果がある。
【図面の簡単な説明】
【００１２】
【図１】本発明の一実施形態に係る移動端末機のブロック構成図である。
【図２】本発明の一実施形態に係る移動端末機を開いた状態で前面を見た図である。
【図３】本発明の一実施形態に係るヒンジ装置が含まれた結合部の構成を示す分解斜視図である。
【図４】本発明の一実施形態に係るヒンジ装置の斜視図である。
【図５】本発明の一実施形態に係るヒンジ装置の分解斜視図である。
【図６】本発明の一実施形態に係る衝突音発生に関する動作図である。
【図７】本発明の更に他の実施形態に係るヒンジ装置の斜視図である。
【発明を実施するための形態】
【００１３】
以下、本発明と関連した移動端末機について図面を参照しつつ詳細に説明する。以下の説明で使われる構成要素に対する接尾辞“モジュール”及び“部”は明細書作成の容易性を考慮して付与及び混用されるものであって、その自体にて互いに区別される意味または役目を有するものではない。
【００１４】
本明細書で記述される移動端末機には、携帯電話、スマートフォン（smart phone）、ノートブックコンピュータ（notebook computer）、ディジタル放送用端末機、ＰＤＡ（Personal Digital Assistants）、ＰＭＰ（Portable Multimedia Player）、ナビゲーションなどが含まれる。
【００１５】
図１は、本発明の一実施形態に係る移動端末機のブロック構成図（block diagram）である。図１を参照して本発明の一実施形態に係る移動端末機を機能に従う構成要素の観点から説明する。
【００１６】
図１を参照すれば、本移動端末機１００は、無線通信部１１０、Ａ／Ｖ（Audio/Video）入力部１２０、ユーザ入力部１３０、センシング部１４０、出力部１５０、メモリ１６０、インターフェース部１７０、制御部１８０、及び給電部１９０を含むことができる。このような構成要素は実際の応用で具現される際、必要によって２つ以上の構成要素が１つの構成要素に合わせられるか、あるいは１つの構成要素が２つ以上の構成要素に細分化して構成できる。
【００１７】
無線通信部１１０は、移動端末機１００と無線通信システムとの間、または移動端末機１００と移動端末機１００が位置したネットワークとの間の無線通信を可能にする１つ以上のモジュールを含むことができる。例えば、無線通信部１１０は、アンテナ１０５、放送受信モジュール１１１、移動通信モジュール１１３、無線インターネットモジュール１１５、近距離通信モジュール１１７、及びＧＰＳモジュール１１９などを含むことができる。
【００１８】
放送受信モジュール１１１は、放送チャンネルを介して外部の放送管理サーバから放送信号及び放送関連情報のうちの少なくとも１つを受信する。この際、放送チャンネルは、衛星チャンネル、地上波チャンネルなどを含むことができる。放送管理サーバは、放送信号及び放送関連情報のうち、少なくとも１つを生成して送信するサーバや、既に生成された放送信号及び放送関連情報のうち、少なくとも１つを提供されて端末機に送信するサーバを意味することがある。
【００１９】
放送関連情報は、放送チャンネル、放送番組、または放送サービス提供者に関連した情報を意味することがある。放送信号は、ＴＶ放送信号、ラジオ放送信号、及びデータ放送信号を含むだけでなく、ＴＶ放送信号またはラジオ放送信号にデータ放送信号が結合した形態の放送信号も含むことができる。放送関連情報は、移動通信網を通じても提供されることができ、この場合には移動通信モジュール１１３により受信できる。放送関連情報は、多様な形態で存在できる。例えば、ＤＭＢ（Digital Multimedia Broadcasting）のＥＰＧ（Electronic Program Guide）、またはＤＶＢ−Ｈ（Digital Video Broadcast-Handheld）のＥＳＧ（Electronic Service Guide）などの形態で存在できる。
【００２０】
放送受信モジュール１１１は、各種放送システムを用いて放送信号を受信するが、特に、ＤＭＢ−Ｔ（Digital Multimedia Broadcasting-Terrestrial）、ＤＭＢ−Ｓ（Digital Multimedia Broadcasting-Satellite）、ＭｅｄｉａＦＬＯ（Media Forward Link Only）、ＤＶＢ−Ｈ（Digital Video Broadcast-Handheld）、ＩＳＤＢ−Ｔ（Integrated Services Digital Broadcast-Terrestrial）などのディジタル放送システムを用いてディジタル放送信号を受信できる。また、放送受信モジュール１１１は、このようなディジタル放送システムだけでなく、放送信号を提供する全ての放送システムに適するように構成できる。放送受信モジュール１１１を通じて受信された放送信号及び／または放送関連情報はメモリ１６０に格納できる。
【００２１】
移動通信モジュール１１３は、移動通信網の上で、基地局、外部の端末、サーバのうち、少なくとも１つと無線信号を送受信する。ここで、無線信号は、音声呼信号、画像通話呼信号、または文字／マルチメディアメッセージ送受信に従う多様な形態のデータを含むことができる。
【００２２】
無線インターネットモジュール１１５は、無線インターネット接続のためのモジュールをいうものであって、無線インターネットモジュール１１５は、移動端末機１００に内蔵または外装できる。無線インターネット技術には、ＷＬＡＮ（Wireless LAN）（Ｗｉ−Ｆｉ）、Ｗｉｂｒｏ（Wireless broadband）、Ｗｉｍａｘ（World Interoperability for Microwave Access）、ＨＳＤＰＡ（High Speed Downlink Packet Access）などが利用できる。
【００２３】
近距離通信モジュール１１７は、近距離通信のためのモジュールをいう。近距離通信技術として、ブルートゥース（Bluetooth（登録商標））、ＲＦＩＤ（Radio Frequency Identification）、赤外線通信（ＩｒＤＡ；infrared Data Association）、ＵＷＢ（Ultra Wideband）、ジグビー（ZigBee）などが利用できる。
【００２４】
ＧＰＳ（Global Position System）モジュール１１９は移動端末機の位置を獲得するためのモジュールであって、複数個のＧＰＳ人工衛星から位置情報を受信する。
【００２５】
アンテナ１０５は、移動端末機１００に受信される全ての電波または信号を受信するための通信装置である。このようなアンテナ１０５は、移動端末機１００の内部または外部に備えられることができ、その名称に関わらず、外部から発信された電波または信号が受信できる装置である。
【００２６】
Ａ／Ｖ（Audio/Video）入力部１２０は、オーディオ信号またはビデオ信号の入力のためのものであって、ここには、カメラ１２１とマイク１２３などが含まれることができる。カメラ１２１は、画像通話モードまたは撮影モードでイメージセンサにより得られる停止画または動画などの画像フレームを処理する。そして、処理された画像フレームはディスプレイ部１５１に表示できる。
【００２７】
カメラ１２１で処理された画像フレームは、メモリ１６０に格納されるか、無線通信部１１０を通じて外部に転送できる。カメラ１２１は、端末機の構成態様に従って２つ以上が備えられることもできる。
【００２８】
マイク１２３は、通話モード、録音モード、または音声認識モードなどでマイクロホン（Microphone）により外部の音響信号の入力を受けて電気的な音声データにて処理する。そして、処理された音声データは、通話モードの場合、移動通信モジュール１１３を通じて移動通信基地局に送信可能な形態に変換されて出力できる。マイク１２３は、外部の音響信号の入力を受ける過程で発生する雑音（noise）を除去するための多様な雑音除去アルゴリズムが使用できる。
【００２９】
ユーザ入力部１３０は、ユーザが端末機の動作制御のために入力するキー入力データを発生させる。ユーザ入力部１３０は、キーパッド（keypad）、ドームスイッチ（dome switch）、タッチパッド（静圧／静電）、ジョグホイール、ジョグスイッチ、フィンガーマウスなどで構成できる。特に、タッチパッドが後述するディスプレイ部１５１と相互レイヤー構造をなす場合、これをタッチスクリーン（touch screen）と呼ぶことができる。
【００３０】
センシング部１４０は、移動端末機１００の開閉状態、移動端末機１００の位置、ユーザ接触の有無のように、移動端末機１００の現状態を感知して移動端末機１００の動作を制御するためのセンシング信号を発生させる。例えば、移動端末機１００がスライドタイプの端末機の場合、スライドを開閉したか否かをセンシングすることができる。また、給電部１９０が電源を供給するか否か、インターフェース部１７０に外部機器が結合されるか否かなどと関連したセンシング機能を担うことができる。
【００３１】
センシング部１４０は、近接センサ（Proximity Sensor）１４１を含むことができる。近接センサ１４１は、接近する物体や近辺に存在する物体の有無などを機械的接触無しで検出できるようにする。近接センサ１４１は、交流磁界の変化や電磁界の変化を利用するか、あるいは静電容量の変化率などを用いて近接物体を検出できる。近接センサ１４１の例としては、透過型光電センサ、直接反射型光電センサ、ミラー反射型光電センサ、高周波発振型近接センサ、静電容量型近接センサ、磁気型近接センサ、赤外線近接センサなどがある。近接センサ１４１は、構成態様に従って２つ以上が備えられることができる。
【００３２】
センシング部１４０は、ジャイロセンサ（Gyro Sensor）１４２を含むことができる。ジャイロセンサ１４２は、ジャイロスコープを用いて物体の動きを感知するセンサ、慣性センサ、及び加速度センサを含む概念である。ジャイロスコープには、機械式ジャイロスコープ、環状レーザージャイロスコープ、光ファイバジャイロスコープなどがある。ジャイロセンサ１４２は、移動端末機の動きを感知して移動端末機の制御のための信号を提供する。
【００３３】
センシング部１４０は、重力センサ１４３を含むことができる。重力センサ１４３は、移動端末機の回転状態を感知する全ての種類のセンサを含む概念である。重力センサ１４３は、錘を可変抵抗に連結し、回転に従う抵抗の変化により現在端末機の回転状態を感知するか、中心部に導電性物体を置いて、回転に対応して導電性物体が接触された方向に対応して回転状態を感知できる。
【００３４】
出力部１５０は、オーディオ信号、ビデオ信号、またはアラーム（alarm）信号の出力のためのものであって、ここにはディスプレイ部１５１、音響出力モジュール１５３、アラーム部１５５、ハプティックモジュール１５７などが含まれることができる。
【００３５】
ディスプレイ部１５１は、移動端末機１００で処理される情報を表示出力する。例えば、移動端末機１００が通話モードの場合、通話と関連したＵＩ（User Interface）またはＧＵＩ（Graphic User Interface）を表示する。そして、移動端末機１００が画像通話モードまたは撮影モードの場合、撮影または受信された映像を各々あるいは同時に表示することができ、ＵＩ、ＧＵＩを表示する。
【００３６】
一方、前述したように、ディスプレイ部１５１とタッチパッドとが相互レイヤー構造をなしてタッチスクリーンで構成される場合、ディスプレイ部１５１は出力装置以外に入力装置でも使用できる。仮に、ディスプレイ部１５１がタッチスクリーンで構成される場合、タッチスクリーンパネル、タッチスクリーンパネル制御器などを含むことができる。この場合、タッチスクリーンパネルは外部に取り付けられる透明なパネルであって、移動端末機１００の内部バスに連結できる。
【００３７】
タッチスクリーンパネルは、ディスプレイ部１５１の特定部位に加えられた圧力またはディスプレイ部１５１の特定の部位に発生する静電容量などの変化を電気的な入力信号に変換するように構成できる。タッチスクリーンパネルは、タッチされる位置及び面積だけでなく、タッチ時の圧力までも検出できるように構成できる。
【００３８】
タッチスクリーンパネルは接触結果を注視してからタッチ入力がある場合、対応する信号をタッチスクリーンパネル制御器に送る。タッチスクリーンパネル制御器は、その信号を処理した後、対応するデータを制御部１８０に転送して、制御部１８０がタッチ入力があったか否かと、タッチスクリーンのどの領域がタッチされたか否かが分かるようにする。
【００３９】
また、ディスプレイ部１５１は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、３次元ディスプレイ（3D display）のうち、少なくとも１つを含むこともできる。
【００４０】
これらのうちの一部のディスプレイは、それを通じて外部を見ることができるように透明型または光透過型で構成できる。これは、透明ディスプレイと呼称できるが、上記透明ディスプレイの代表的な例には、ＴＯＬＥＤ（Transparent OLED）などがある。ディスプレイ部１５１の後方構造また光透過型構造で構成できる。このような構造によって、ユーザは端末機ボディーのディスプレイ部１５１が占める領域を通じて端末機ボディーの後方に位置した事物を見ることができる。
【００４１】
移動端末機１００の具現形態に従ってディスプレイ部１５１が２つ以上存在することもできる。例えば、移動端末機１００に外部ディスプレイ部（図示せず）と内部ディスプレイ部（図示せず）が同時に具備できる。
【００４２】
音響出力モジュール１５３は、呼信号受信、通話モードまたは録音モード、音声認識モード、放送受信モードなどで無線通信部１１０から受信されるか、メモリ１６０に格納されたオーディオデータを出力する。また、音響出力モジュール１５３は、移動端末機１００で遂行される機能、例えば、呼信号受信音、メッセージ受信音などと関連した音響信号を出力する。このような音響出力モジュール１５３には、レシーバー（Receiver）、スピーカー（speaker）、ブザー（Buzzer）などが含まれることができる。
【００４３】
アラーム部１５５は、移動端末機１００のイベント発生を知らせるための信号を出力する。移動端末機１００で発生するイベントの例には、呼信号受信、メッセージ受信、キー信号入力などがある。アラーム部１５５は、オーディオ信号やビデオ信号の以外に、他の形態でイベント発生を知らせるための信号を出力する。例えば、振動形態で信号を出力できる。アラーム部１５５は、呼信号が受信されるかメッセージが受信された場合、これを知らせるための信号を出力できる。また、アラーム部１５５は、キー信号が入力された場合、キー信号入力に対するフィードバックにより信号を出力できる。このようなアラーム部１５５が出力する信号を通じてユーザはイベント発生を認知できる。勿論、イベント発生の報知のための信号は、ディスプレイ部１５１や音響出力モジュール１５３を通じても出力できる。
【００４４】
ハプティックモジュール（haptic module）１５７は、ユーザが感じられる多様な触覚効果を発生させる。ハプティックモジュール１５７が発生させる触覚効果の代表的な例としては振動効果がある。ハプティックモジュール１５７が触覚効果により振動を発生させる場合、ハプティックモジュール１５７が発生する振動の強さとパターンなどは変換可能であり、互いに異なる振動を合成して出力するか、順次に出力することもできる。
【００４５】
ハプティックモジュール１５７は、振動の他にも接触皮膚面に対して垂直運動するピン配列による刺激による効果、噴射口や吸入口を通じた空気の噴射力や吸入力による刺激による効果、皮膚表面を擦れる刺激による効果、電極（electrode）の接触による刺激による効果、静電気力を用いた刺激による効果、吸熱や抜熱可能な素子を用いた冷温感再現による効果など、多様な触覚効果を発生させることができる。ハプティックモジュール１５７は、直接的な接触を通じて触覚効果を伝達できるだけでなく、ユーザの手指や腕などの筋感覚を通じて触覚効果が感じられるように具現することもできる。ハプティックモジュール１５７は、移動端末機１００の構成態様に従って２つ以上が具備できる。
【００４６】
メモリ１６０は、制御部１８０の処理及び制御のためのプログラムが格納されることもでき、入力または出力されるデータ（例えば、フォンブック、メッセージ、停止画、動画等）の臨時格納のための機能を遂行することもできる。
【００４７】
メモリ１６０は、フラッシュメモリタイプ（flash memory type）、ハードディスクタイプ（hard disk type）、マルチメディアカードマイクロタイプ（multimedia card micro type）、カードタイプのメモリ（例えば、ＳＤまたはＸＤメモリ等）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクのうち、少なくとも１つのタイプの格納媒体を含むことができる。また、移動端末機１００は、インターネット（internet）の上でメモリ１５０の格納機能を遂行するウェブストレージ（web storage）と関連して動作することもできる。
【００４８】
インターフェース部１７０は、移動端末機１００に連結される全ての外部機器とのインターフェースの役目を遂行する。移動端末機１００に連結される外部機器の例としては、有／無線ヘッドセット、外部充電器、有／無線データポート、メモリカード（Memory card）、ＳＩＭ／ＵＩＭカードのようなカードソケット、オーディオＩ／Ｏ（Input/Output）端子、ビデオＩ／Ｏ（Input/Output）端子、イヤホンなどがある。インターフェース部１７０は、このような外部機器からデータの転送を受けるか、電源の供給を受けて、移動端末機１００の内部の各構成要素に伝達することができ、移動端末機１００の内部のデータが外部機器に転送されるようにすることができる。
【００４９】
インターフェース部１７０は、移動端末機１００が外部クレードル（cradle）と連結される時、上記クレードルからの電源が上記移動端末機１００に供給される通路になるか、ユーザにより上記クレードルで入力される各種の命令信号が上記移動端末機に伝えられる通路になることができる。上記クレードルから入力される各種の命令信号または上記電源は、上記移動端末機が上記クレードルに正確に取り付けられたことを認知するための信号として動作されることもできる。
【００５０】
制御部１８０は、通常的に上記各部の動作を制御して移動端末機１００の全般的な動作を制御する。例えば、音声通話、データ通信、画像通話などのための関連した制御及び処理を遂行する。また、制御部１８０はマルチメディアの再生のためのマルチメディア再生モジュール１８１を具備することもできる。マルチメディア再生モジュール１８１は、制御部１８０の内にハードウェアで構成されることもでき、制御部１８０とは別途にソフトウェアで構成されることもできる。制御部１８０は、上記タッチスクリーンの上で行われる筆記入力またはお絵描き入力を各々文字及びイメージとして認識できるパターン認識処理を行なうことができる。
【００５１】
給電部１９０は、制御部１８０の制御により外部の電源、内部の電源の認可を受けて各構成要素の動作に必要とする電源を供給する。
【００５２】
以上、本発明と関連した移動端末機を機能に従う構成要素の観点から説明した。以下、図２を参照して、本発明と関連した移動端末機１００を外形に従う構成要素の観点からさらに説明する。以下、説明の便宜のために、フォルダータイプ、バータイプ、スイングタイプ、スライダータイプのような種々のタイプの移動端末機のうち、フォルダータイプ端末機を例として説明する。しかしながら、本発明はフォルダータイプの移動端末機に限定されるのではなく、前述したタイプを含んだ全てのタイプの移動端末機に適用できる。
【００５３】
図２は、本発明の一実施形態に係る移動端末機１００を開いた状態で前面を見た図である。
【００５４】
図２を参照すれば、移動端末機１００は、見掛けを形成する第１ボディー１００ａと、第１ボディー１００ａに回転可能に結合され、見掛けを形成する第２ボディー１００ｂと、を含む。移動端末機１００は、第１ボディー１００ａと第２ボディー１００ｂの相対移動により閉状態と開状態との間に転換できる。
【００５５】
第１ボディー１００ａが第２ボディー１００ｂと重畳して重なるように配置された状態を閉状態（closed configuration）と称することができ、第１ボディー１００ａが第２ボディー２００ｂと所定の角度をなす状態を開状態（open configuration）と称することができる。また、開状態と閉状態との間の所定の区間を自由停止区間（free stop）と称することができる。
【００５６】
移動端末機１００は閉状態で主に待機モード（Standby Mode）で作動するが、ユーザの操作により待機モードが解除されることもある。そして、移動端末機１００は開状態で主に通話モード等で作動するが、ユーザの操作または所定時間の経過により待機モードに転換されることもある。
【００５７】
第１ボディー１００ａ及び第２ボディー１００ｂには、各種電子部品が内蔵できる。第１ボディー１００ａ及び第２ボディー１００ｂの見掛けを形成するケースは合成樹脂を射出して形成されるか、金属材質、例えばステンレススチール（ＳＴＳ）またはチタニウム（Ｔｉ）のような金属材質を有するように形成されることもできる。
【００５８】
移動端末機１００は、第１ボディー１００ａと第２ボディー１００ｂとを回転可能に結合する結合部２００を含む。結合部２００は、第１ボディー１００ａ及び第２ボディー１００ｂが回転可能にヒンジ（hinge）で具現されることが好ましい。結合部２００は、実施形態に従ってスライダーまたは板結合、回転結合、スクリュー結合、鉤形結合で具現されて、スイングタイプ、スライダータイプなど、多様なタイプの移動端末機１００を具現できる。本発明の一実施形態に係る結合部２００にはヒンジ装置２３０が備えられ、ヒンジ装置２３０の構成に関しては図３以下で後述する。
【００５９】
第１ボディー１００ａは、ディスプレイ部１５１、第１音響出力モジュール１５３ａ、及び第１カメラ１２１ａを含むことができる。第２ボディー１００ｂは、ユーザ入力部１３０及びマイク１２３を含むことができる。
【００６０】
ディスプレイ部１５１は、情報を視覚的に表現するＬＣＤ（liquid crystal display）、ＯＬＥＤ（Organic Light Emitting Diodes）などを含む。ディスプレイ部１５１にはタッチパッドがレイヤー構造で重畳されることによって、ディスプレイ部１５１がタッチスクリーンで動作して、ユーザのタッチによる情報の入力が可能であるように構成することもできる。
【００６１】
第１音響出力モジュール１５３ａは、レシーバーまたはスピーカーの形態で具現できる。第１カメラ１２１ａは、ユーザなどに対するイメージまたは動画の撮影に適するように具現できる。そして、マイク１２３は、ユーザの音声、その他の声などの入力を受けることに適した形態で具現できる。
【００６２】
ユーザ入力部１３０は、ユーザが触覚的な感じを与えながら操作するようになる方式（tactile manner）であればどんな方式でも採用できる。例えば、ユーザ入力部１３０はユーザのプッシュまたはタッチ操作により命令または情報の入力を受けることができるドームスイッチまたはタッチパッドで具現されるか、キーを回転させるホイールまたはジョグ方式やジョイスチックのように操作する方式などでも具現できる。
【００６３】
図３は本発明の一実施形態に係るヒンジ装置２３０が含まれた結合部２００の構成を示す分解斜視図であり、図４はヒンジ装置２３０の斜視図であり、図５は本発明の一実施形態に係るヒンジ装置２３０の分解斜視図である。
【００６４】
図３乃至図５を参照すれば、本発明の一実施形態に従う結合部２００はヒンジ装置２３０を含む。ヒンジ装置２３０は、第１ボディー１００ａに固定結合されるヒンジハウジング２３１、第２ボディー１００ｂに固定結合されるヘッドアウター２３２、ヒンジハウジング２３１とヘッドアウター２３２との間に備えられて回転時に衝突音を発生するヘッドインナー２３３、ヒンジハウジング２３１に収容され、ヘッドインナー２３３と接触するカム２３４、及びヒンジハウジング２３１の内部に備えられ、カム２３４に弾性力を提供する弾性スプリング２３５を含んで構成される。
【００６５】
より詳しくは、図３を参照すれば、ヒンジハウジング２３１は、第１ボディー１００ａに凹まれて形成されたヒンジハウジング収容部２２０に固定結合されて回転が拘束される。この際、第１ボディー１００ａのヒンジハウジング収容部２２０とヒンジハウジング２３１とは片側に離隔した隙間無しで固定結合されて回転時に遊動を起こさない。ヒンジハウジング収容部２２０の断面部形状は、ヒンジハウジング２３１が片側に離隔した隙間のないように収容される形状であればよい。
【００６６】
ヘッドアウター２３２は、第２ボディー１００ｂに固定結合されて回転が拘束される。第２ボディー１００ｂの一側には突出部２１０が形成され、突出部２１０にはヘッドアウター２３２が収容されるヘッドアウター収容部２１２が内側に凹まれて形成される。ヘッドアウター２３２は、ヘッドアウター収容部２１２に片側に離隔した隙間無しで固定結合される。
【００６７】
移動端末機１００は、第２ボディー１００ｂに固定結合されたヘッドアウター２３２と第１ボディー１００ａに固定結合されたヒンジハウジング２３１とが相対運動して回転される。この回転によって移動端末機１００の開状態と閉状態が行われる。
【００６８】
また、本発明の更に他の実施形態で、ヘッドアウター２３２が第１ボディー１００ａに固定結合され、ヒンジハウジング２３１が第２ボディー１００ｂに固定結合できる。この場合には、第２ボディー１００ｂに固定結合されたヒンジハウジング２３１と第１ボディー１００ａに固定結合されたヘッドアウター２３２とが相対運動して回転される。
【００６９】
図４及び図５を参照して本発明の一実施形態に従うヒンジ装置２３０を説明すると、第１ボディー１００ａに固定結合されるヒンジハウジング２３１、第２ボディー１００ｂに固定結合されるヘッドアウター２３２、ヒンジハウジング２３１とヘッドアウター２３２との間に備えられて回転時に衝突音を発生するヘッドインナー２３３、ヒンジハウジング２３１に収容され、ヘッドインナー２３３と接触するカム２３４、及び上記ヒンジハウジング２３１の内部に備えられ、上記カム２３４に弾性力を提供する弾性スプリング２３５を含んで構成される。また、ヘッドアウター２３２、ヘッドインナー２３３、カム２３４、弾性スプリング２３５、及びヒンジハウジング２３１を一体で貫通して結合するヒンジピン２３７と、ヒンジピン２３７の一側を固定する締結手段２３６をさらに含んで構成される。
【００７０】
より詳しくは、ヒンジハウジング２３１は内部に弾性スプリング２３５が備えられ、ヒンジハウジング２３１の内周面に沿って直線往復動するカム２３４が備えられている。ヒンジハウジング２３１は、実施形態に従って第１ボディー１００ａまたは第２ボディー１００ｂに凹まれて形成されたヒンジハウジング収容部２２０に固定結合される。
【００７１】
ヘッドアウター２３２は、内側にヘッドインナー２３３が収容される挿入ホール２３２ｃが形成される。挿入ホール２３２ｃにはヘッドインナー２３３が片側にギャップ（gap；Ｇ）を置いて離隔して収容される。また、ヘッドインナー２３３はヘッドアウター２３２の内側に完全に挿入されて、図４に開示されたように、見掛けから見えないように結合される。ヘッドアウター２３２は、実施形態に従って第１ボディー１００ａまたは第２ボディー１００ｂに凹まれて形成されたヘッドアウター収容部２１２に固定結合される。
【００７２】
ヘッドインナー２３３は、ヘッドアウター２３２の直径より小さな直径で形成されてヘッドアウター２３２とギャップ（Ｇ）を有するように形成される。好ましくは、ヘッドインナー２３３の外径がヘッドアウター２３２の内径より５／１００位小さく形成される。ヘッドインナー２３３とヘッドアウター２３２は、ヒンジピン２３７の軸方向を中心として回転する時、ギャップ（Ｇ）によって微細に片側が遊動するようになり、これによって、衝突音が発生する。衝突音が発生する過程については図６で後述する。
【００７３】
ヘッドインナー２３３の一側には山形に突出して形成されたヘッドインナー突出部２３３ａと、谷型に凹まれて形成されたヘッドインナー陥没部２３３ｂとが形成されている。ヘッドインナー突出部２３３ａとヘッドインナー陥没部２３３ｂは、ヘッドインナー２３３の回転時、カム２３４をヒンジハウジング２３１の内側に直線往復動させる。
【００７４】
カム２３４は、ヘッドインナー突出部２３３ａとヘッドインナー陥没部２３３ｂに対応する谷型と山形のカム陥没部２３４ｂとカム突出部２３４ａが形成されている。カム２３４は、ヒンジハウジング２３１に回転が拘束されて結合される。この際、カム２３４とヒンジハウジング２３１は片側にギャップがないように形成されて、カム２３４とヒンジハウジング２３１の内壁との間の遊動による騒音が発生しない。カム２３４は、ヒンジハウジング２３１の長方向に対してのみ直線運動をする。
【００７５】
ヒンジハウジング２３１の内側に備えられ、カム２３４に弾性力を提供する弾性スプリング２３５がカム２３４の下部に備えられている。
【００７６】
カム２３４は、ヒンジピン２３７の軸方向と同じ方向に直線往復動する。即ち、ヘッドアウター２３２が回転すれば、ヘッドインナー２３３はヘッドアウター２３２を片側にギャップ（Ｇ）により微細に遊動しながら回転し、この際、ヘッドインナー２３３の一側に形成されたヘッドインナー突出部２３３ａがカム２３４に形成された傾斜面に沿って、カム２３４をヒンジハウジング２３１の内側に押し込むようになる。
【００７７】
ヒンジハウジング２３１の内側に押されたカム２３４に対して、圧縮された弾性スプリング２３５はカム２３４に弾発する弾性力を提供する。この際、弾性力によってカム２３４はヘッドインナー２３３を押すようになる。ヘッドインナー２３３は、カム２３４が押し付ける弾性力を受けてヘッドアウター２３２の内側に平坦な面（図示せず）とヘッドインナー２３３の外側の平坦な面（図示せず）とが密着して遊動を無いようにする。即ち、弾性スプリング２３５が提供する弾性力によりヘッドインナー２３３とヘッドアウター２３２との間に摩擦力を有するようになって遊動がなくなる。この際、ヘッドインナー突出部２３３ａがカム突出部２３４ａの平坦面に接触している位置を自由停止区間に該当するようにヒンジ装置２３０を設定すれば、自由停止区間には弾性スプリング２３５が提供する弾性力がヘッドアウター２３２とヘッドインナー２３３との間に摩擦力を提供して遊動がなくなる。
【００７８】
より詳しくは、自由停止区間では弾性スプリング２３５が最大に圧縮される。圧縮された弾性スプリング２３５はカム２３４に弾発する弾性力を提供し、カム２３４はまたヘッドインナー２３３に弾性力を提供する。ヘッドインナー２３３は弾性力によりヘッドアウター２３２の挿入ホール２３２ｃの内側面と密着してヘッドインナー２３３とヘッドアウター２３２との間の遊動がなくなる。
【００７９】
図６は、本発明の一実施に係る衝突音発生に関する動作図である。
【００８０】
図６を参照すれば、ヘッドアウター２３２は内側にヘッドインナー２３３が収容される挿入ホール２３２ｃが形成され、ヘッドインナー２３３は挿入ホール２３２ｃに片側が離隔して収容される。離隔した片側にはギャップ（Ｇ）があるので、ヘッドアウター２３２が回転する時、点線で表示されたヘッドインナー隅２３３ｃがヘッドアウター２３２の内壁の一側に接触してヘッドインナー２３３が回転する。この回転は、ヘッドインナー突出部２３３ａがカム陥没部２３４ｂでカム突出部２３４ａで形成された傾斜面を乗り越えながらカム突出部２３４ａの平坦面とヘッドインナー突出部２３３ａの平坦面とが接触するようになる地点まで回転される。この際、ヘッドインナー突出部２３３ａがカム突出部２３４ａの平坦面に接触されている位置を自由停止区間に該当するようにヒンジ装置２３０を設定すれば、自由停止区間で移動端末機１００は第１ボディー１００ａと第２ボディー１００ｂが所定の角度をなして開状態または閉状態に該当しない中間状態に至る。
【００８１】
自由停止区間でヘッドアウター２３２がもっと回転すれば、ヘッドインナー２３３は一緒に回転し、ヘッドインナー突出部２３３ａがカム突出部２３４ａの平坦面の端部に至ってカム陥没部２３４ｂに向かう傾斜面に位置するようになる。
【００８２】
この場合、ヘッドインナー突出部２３３ａはカム突出部２３４ａの傾斜面を乗って瞬間的に降りながら実線で表示されたヘッドインナー隅２３３ｃがヘッドアウター２３２の内壁に衝突しながら衝突音を発生させる。即ち、ヘッドインナー２３３とヘッドアウター２３２との間のギャップ（Ｇ）によって、ヘッドインナー隅２３３ｃがヘッドアウター２３２の内壁の一側と更に他の側で遊動される。この遊動可能なギャップ（Ｇ）により、ヘッドインナー２３３はヘッドインナー突出部２３３ａがカム突出部２３４ａの平坦面の端部を過ぎてカム陥没部２３４ｂに向かう傾斜面に至れば、ヘッドインナー２３３に弾性力を提供していたカム２３４との遊隔が瞬間的に解ける。この遊隔が解けながらヘッドインナー２３３はヘッドアウター２３２と瞬間的に相対回転し、この際、ヘッドインナー隅２３３ｃがヘッドアウター２３２の内壁の一側面に衝突しながら衝突音が発生するようになる。
【００８３】
図７は、本発明の更に他の実施形態に係るヒンジ装置の斜視図である。
【００８４】
図７を参照すれば、ヘッドインナー２３３は第２ボディー１００ｂと片側が離隔して備えられ、回転時に第２ボディー１００ｂに衝突して衝突音を発生させる。より詳しくは、ヘッドアウター２３２は第２ボディー１００ｂに固定具備され、ヘッドアウター２３２に別途のヘッドインナー２３３を収容する挿入ホールが形成されない。即ち、ヘッドアウター２３２はヘッドインナー２３３を覆いかぶせず、ヒンジ装置２３０の一側を第２ボディー１００ｂに固定する役目をする。
【００８５】
ヘッドインナー２３３は、ヘッドアウター２３２の直径より小さく形成される。したがって、ヘッドアウター収容部２１２とヘッドインナー２３３とが片側が離隔して備えられる。好ましくは、ヘッドインナー２３３の外径がヘッドアウター収容部２１２の内径より５／１００位小さく形成される。
【００８６】
この場合、結合部２００の回転時、ヒンジ装置２３０のヘッドアウター２３２とヒンジハウジング２３１とが相対運動をして回転するようになり、ヘッドインナー２３３がヘッドアウター収容部２１２の内壁の一側に衝突して衝突音を発生する。
【００８７】
より詳しくは、図６に開示された本発明の更に他の実施形態は、図５に開示された実施形態に対し、ヘッドアウター２３２の挿入ホール２３２ｃの構成がヘッドアウター収容部２１２に取り替えられた構成に該当する。
【００８８】
より詳しくは、図６及び図７を参照して説明すれば、ヘッドインナー２３３は突出部２１０に形成されたヘッドアウター収容部２１２に片側が離隔して収容され、ヒンジハウジング２３１はヒンジハウジング収容部２２０に固定結合される。離隔した片側にはギャップ（Ｇ）があるので、ヘッドアウター収容部２１２が形成された第２ボディー１００ｂが回転する際、ヘッドインナー隅２３３ｃがヘッドアウター収容部２１２の内壁の一側に接触して回転する。この回転は、ヘッドインナー突出部２３３ａがカム陥没部２３４ｂでカム突出部２３４ａで形成された傾斜面を乗り越えながらカム突出部２３４ａの平坦面とヘッドインナー突出部２３３ａの平坦面とが接触するようになる地点まで回転される。この際、ヘッドインナー突出部２３３ａがカム突出部２３４ａの平坦面に接触している位置を自由停止区間に該当するようにヒンジ装置２３０を設定すれば、自由停止区間で移動端末機１００は第１ボディー１００ａと第２ボディー１００ｂが所定の角度をなして開状態または閉状態に該当しない中間状態に至る。
【００８９】
自由停止区間で第２ボディー１００ｂがもっと回転すれば、ヘッドインナー２３３はヘッドインナー隅２３３ｃがヘッドアウター収容部２１２の一側に接触されて回転し、ヘッドインナー突出部２３３ａがカム突出部２３４ａの平坦面の端部に至ってカム陥没部２３４ｂに向かう傾斜面に位置するようになる。
【００９０】
この場合、ヘッドインナー突出部２３３ａはカム突出部２３４ａの傾斜面を乗って瞬間的に降りながらヘッドインナー隅２３３ｃがヘッドアウター収容部２１２の内壁に衝突しながら衝突音を発生させる。即ち、ヘッドインナー２３３とヘッドアウター収容部２１２との間のギャップ（Ｇ）によって、ヘッドインナー隅２３３ｃがヘッドアウター収容部２１２の内壁の一側と更に他の側で遊動される。この遊動可能なギャップ（Ｇ）により、ヘッドインナー２３３はヘッドインナー突出部２３３ａがカム突出部２３４ａの平坦面の終端を過ぎてカム陥没部２３４ｂに向かう傾斜面に至れば、ヘッドインナー２３３に弾性力を提供していたカム２３４の遊隔が瞬間的に解けるようになる。ヘッドインナー２３３はヘッドアウター収容部２１２の内側で瞬間的に相対回転する。この際、ヘッドインナー隅２３３ｃがヘッドアウター収容部２１２の内壁の一側面に衝突しながら衝突音が発生するようになる。
【００９１】
また、本発明の更に他の実施形態で、ヘッドアウター２３２が第１ボディー１００ａに固定結合され、ヒンジハウジング２３１が第２ボディー１００ｂに固定結合できる。この場合にもヒンジハウジング２３１とヘッドアウター２３２が各々固定結合され、ヒンジハウジング収容部２２０にヘッドインナー２３３が片側が離隔して具備できる。ヘッドインナー２３３は、ヒンジハウジング２３１とヘッドアウター２３２との間に備えられて、回転時、前述した方法によりヒンジハウジング収容部２２０の内壁の一側と衝突して衝突音を発生させる。
【００９２】
以上、本発明に従う移動端末機１００は、前述したように説明された実施形態の構成と方法が限定されるように適用できるものでなく、上記実施形態は多様な変形がなされることができるように各実施形態の全部または一部が選択的に組み合わせられて構成されることもできる。
【００９３】
一方、本発明はＭＳＭ（Mobile Station Modem）のように、移動端末機１００に備えられたプロセッサが読取可能な記録媒体にプロセッサが読取可能なコードとして具現することが可能である。プロセッサが読取可能な記録媒体は、プロセッサにより読取できるデータが格納される全ての種類の記録装置を含む。プロセッサが読取可能な記録媒体の例としては、ＲＯＭ、ＲＡＭ、ＣＤ−ＲＯＭ、磁気テープ、フロッピー（登録商標）ディスク、光データ格納装置などがあり、また、インターネットを通じた転送のようなキャリアウェーブの形態で具現されるものも含む。また、プロセッサが読取可能な記録媒体は、ネットワークにより連結されたコンピュータシステムに分散されて、分散方式によりプロセッサが読取可能なコードが格納され実行できる。
【００９４】
また、以上では本発明の好ましい実施形態について図示及び説明したが、本発明は前述した特定の実施形態に限定されず、請求範囲で請求する本発明の要旨を逸脱することがなく、当該発明が属する技術分野で通常の知識を有する者により多様な変形実施が可能であることは勿論であり、このような変形実施は本発明の技術的思想や展望から個別的に理解されてはならない。
【図１】
0005491338.tif 000002
【図２】
0005491338.tif 000003
【図３】
0005491338.tif 000004
【図４】
0005491338.tif 000005
【図５】
0005491338.tif 000006
【図６】
0005491338.tif 000007
【図７】
0005491338.tif 000008